(57)【要約】【課題】電池室内に小さな金属片が侵入し、その状態のままで電池が装填されても、電池間での短絡が発生し難い接点装置を提供することである。【解決手段】この接点装置は、バッテリパック本体３０のバッテリ電極３１と接触する電池接片８１と、変形する保護シート７６とで構成される。保護シート７６には、電池接片８１が進入可能な電池接片用孔を有している。そして、バッテリパック本体３０が装填されていないときは上記電池接片用孔に進入せず、バッテリパック本体３０が装填されたときは、保護シート７６が変形して上記電池接片８４が上記電池接片用孔中に進入し、バッテリ電極３１との接触を行う。【選択図】    図８
2005019022.tif 000002
【特許請求の範囲】
【請求項１】
電池と接触する接片と、
シート部材から成り、上記接片が進入可能な開口を有し、電池が装填されていないときはこの開口に進入せず、電池が装填されたときは上記接片が上記開口中に進入し、電池との接触を行うように変形する保護シートと、
を具備することを特徴とする接点装置。
【請求項２】
上記保護シートは、電池の装填に応じて変形することを特徴とする請求項１に記載の接点装置。
【請求項３】
上記上記保護シートは、電池が装填される前は、上記接点のある空間を電池の装填される空間から分離することを特徴とする請求項１若しくは２に記載の接点装置。
【発明の詳細な説明】
【０００１】
【発明の属する技術分野】
この発明は接点装置に関し、より詳細には、カメラ等の電子機器に電源を供給するためのバッテリアダプタの短絡防止シート付き接点装置の改良に関するものである。
【０００２】
【従来の技術】
一般に使用されているカメラは、その本体に電池収納室が設けられており、この電池収納室に専用の電池若しくは乾電池等が装填されて、カメラ内の各回路に電源が供給されることにより、各種の機能の動作が実行されるようになっている。
【０００３】
ところで、こうした電池収納室の大きさには制限があり、電池の容量も決まってしまうため、撮影する写真の枚数も制約を受けるものであった。このため、数多くの枚数の写真撮影を行う場合は、複数本の電池を所持する必要があり、撮影の途中で電池の交換を行わなければならないものであった。
【０００４】
近年、こうした要望に答えるべく、カメラ本体に着脱が自在で大容量のバッテリパックを内蔵するバッテリアダプタが開発されている。こうしたバッテリアダプタは、例えばカメラ本体の底面部に設けられている三脚用のネジ穴を利用して、カメラ本体に装着されるようになっている。
【０００５】
そして、こうしたバッテリアダプタは、内部に電池室を有しており、交換用のバッテリアダプタ本体の電極と電池室の電極を接触させて電源が供給されるようになっている。
【０００６】
また、例えば、複数の電池間から電圧を取り出すための接片が存在し、蓋体が装着されると、それに連動して電池室内に接片が侵入するという技術が知られている（例えば、特許文献１参照）。
【０００７】
【特許文献１】
実開昭６０−２８０６０号公報
【０００８】
【発明が解決しようとする課題】
しかしながら、上述した特許文献１に記載されているような技術では、電池室内に小さな金属片が侵入し、その状態のままで電池が装填されると、電池間での短絡を発生する虞れがあった。
【０００９】
この発明は以上の点に鑑みてなされたものであり、電池室内に小さな金属片が侵入し、その状態のままで電池が装填されても、電池間での短絡が発生し難い接点装置を提供することを目的とする。
【００１０】
【課題を解決するための手段】
すなわち、請求項１に記載の発明は、電池と接触する接片と、シート部材から成り、上記接片が進入可能な開口を有し、電池が装填されていないときはこの開口に進入せず、電池が装填されたときは上記接片が上記開口中に進入し、電池との接触を行うように変形する保護シートと、を具備することを特徴とする。
【００１１】
このような構成とすることにより、電池室内に小さな金属片が侵入した状態で電池が装填されると変形する保護シートによって、電池間での短絡の発生をし難くすることができる。
【００１２】
請求項２に記載の発明は、請求項１に記載の発明に於いて、上記保護シートは、電池の装填に応じて変形することを特徴とする。
【００１３】
このような構成とすることにより、電池が装填されないときは接片が開口から露出されないので、電池室内への金属片の侵入を防止することができる。
【００１４】
請求項３に記載の発明は、請求項１若しくは２に記載の発明に於いて、上記上記保護シートは、電池が装填される前は、上記接点のある空間を電池の装填される空間から分離することを特徴とする。
【００１５】
このような構成とすることにより、電池が装填されないときは接片が保護シートから離間されるので、電池室内への金属片の侵入を防止することができる。
【００１６】
【発明の実施の形態】
以下、図面を参照してこの発明の実施の形態について説明する。
【００１７】
図１は、この発明の一実施の形態に係る電子機器であるカメラのバッテリアダプタの構成を示した外観斜視図であり、図２は、図１のバッテリアダプタが装着されるカメラ本体の構成を示す外観斜視図である。
【００１８】
カメラ本体１の前面部には、このカメラ本体１を把持してホールドするためのグリップ部２が形成されている。また、カメラ本体１の前面部の略中央には、図示されないレンズ鏡筒を装着するためのマウント部３が設けられている。尚、４は入射光束を図示されないファインダに導くためのメインミラーである。
【００１９】
カメラ本体１の底面部で、上記グリップ部２の下方には開閉自在な電池蓋６が設けられている（図示せず）。この電池蓋６内には、カメラの電源としての電池が装填されるべく電池室７が設けられている。また、カメラ本体１の底面部には、図示されない三脚等を取り付ける際の雌ネジである三脚ネジ９と、三脚等の位置合わせ用としての位置決め穴８が形成されている。
【００２０】
一方、バッテリアダプタ１５は、上記カメラ本体１の底面部と相対する面で、上記位置決め穴８、三脚ネジ９と相対する位置に、それぞれ位置決めピン１６、三脚ネジ１７が、それぞれ形成されている。この三脚ネジ１７は、カメラ本体１側の三脚ネジ９と螺合する雄ネジで構成されている。更に、上記電池蓋６と相対する位置には、カメラ本体内部の図示されない電気接点と接触する電極接点部１８を有した接片支柱１９が形成されている。そして、この接片支柱１９の根本近傍には、防水シール（Ｏリング）２０が配されている。
【００２１】
いま、図２に示されるように、カメラ本体１の電池蓋６が取り外されて、図示矢印Ａで表されるように、電池室７に接片支柱１９が挿入される。すると、防水シール２０が電池室７の周壁と嵌合されてその内周壁に当接され、位置決めピン１６が位置決め穴８に嵌入され、更に三脚ネジ１７が三脚ネジ９と螺合する。これによって、カメラ本体１に対して、バッテリアダプタ１５の位置決めがなされるわけである。
【００２２】
尚、上記接点支柱１９の水平方向の断面形状は、カメラ本体１の電池室７の水平方向の断面形状に相似してやや小さい。また、三脚ネジ１７は、バッテリアダプタ１５の上面部の三脚ネジ用の穴とは遊嵌している状態である。
【００２３】
バッテリアダプタ１５の上面部には、また、カメラ本体１の電池蓋６を収納するための凹部が形成され、電池蓋収納部２２が構成されている。接片支柱１９が電池室７に挿入されるにあたり、電池蓋６はカメラ本体１から取り外されるようになっている。そのため、バッテリアダプタ１５を使用する際に、取り外された電池蓋６を紛失しないように、電池蓋収納部２２に電池蓋６を嵌め込むようにしている。
【００２４】
また、バッテリアダプタ１５の前面部には、三脚ネジ１７をカメラ本体１の三脚ネジ９と螺合させるための三脚ネジダイアル２３が設けられている。この三脚ネジダイアル２３を所定方向に回転させることにより、三脚ネジ１７と三脚ネジ９の螺合状態が調節されて、バッテリアダプタ１５とカメラ本体１との装着、取り外しがなされるようになっている。
【００２５】
更に、バッテリアダプタ１５の側方部には、このバッテリアダプタ１５本体からバッテリパック２５を挿脱するためのバッテリ蓋部材２６が設けられている。そして、このバッテリ蓋部材２６には、バッテリパック２５をバッテリアダプタ１５本体に固定、開放するためのロック操作部材２７が設けられている。
【００２６】
尚、上述したカメラ本体１及びバッテリアダプタ１５は、モールドまたはプラスチック等により構成されている。
【００２７】
図３はバッテリパック（交換パッケージ）の構造を示すもので、（ａ）は一方向から見た外観斜視図、（ｂ）は（ａ）と反対方向（裏側）から見た斜視図である。
【００２８】
このバッテリパック２５は、バッテリ蓋部材２６にバッテリパック本体３０が取り付けられた構造となっている。
【００２９】
バッテリ蓋部材２６には、このバッテリパック本体３０をバッテリアダプタ１５に固定するためのロック爪３３が設けられている。このロック爪３３は回動可能であり、ロック操作部材２７の操作に連動して所定方向に回転して、バッテリ蓋部材２６をバッテリアダプタ１５に固定、或いは開放状態にするものである。
【００３０】
また、バッテリ蓋部材２６の周囲には、防水シール（Ｏリング）３４がロック爪３３よりも後述のバッテリ電極側に配されている。この防水シール３４が、バッテリアダプタ１５の図示されない周壁と当接することによって、バッテリアダプタ内部を水密的に閉塞するものである。これにより、防水手段を構成している。
【００３１】
一方、バッテリパック本体３０の、バッテリ蓋部材２６と反対側には、複数個（この場合３個）の電極３１が設けられている。
【００３２】
図４は、バッテリ蓋部材２６とバッテリパック本体３０の取り付け構造を示す分解斜視図である。
【００３３】
バッテリ蓋部材２６は、後述するように、ビスによって取付部材３６と固着されている。この取付部３６には、バッテリパック本体３０の当接面３０ａと当接するべく当接部３７が形成されている。更に、取付部材３６には、緩衝材であるゴムクッション３８が貼着されるようになっており、このゴムクッション３８を介してバッテリパック本体３０の当接面３０ａと当接する。
【００３４】
一方、バッテリパック本体３０の側面で当接面３０ａの近傍には、例えば断面が略方形状の突起４０、４１が形成されている。上記突起４０は、取付部材３６に形成された切り欠き４２に嵌挿される。一方、突起４１は、“コの字形状”の止め部材４３に形成された切り欠き４４に嵌挿される。そして、この止め部材４３がビス４５によって取付部材３６の取付部４６に螺着される。
【００３５】
これにより、バッテリパック本体３０は、当接面３０ａが当接部３７及びゴムクッション３８と当接し、突起４０及び突起４１により切り欠き４２及び止め部材４３の切り欠き４４で保持されている。すなわち、バッテリパック本体３０は、突起４０及び突起４１により切り欠き４２及び止め部材４３の切り欠き４４で保持された状態で、当接しているゴムクッション３８の弾性力により、当接部３７の面を支点として揺動する。
【００３６】
そのため、突起４０と切り欠き４２との嵌合は全ての方向で隙間嵌めの状態で遊嵌し、及び突起４１と切り欠き４４との嵌合は全ての方向で隙間嵌めの状態で遊嵌して、止め部材４３がビス４５で螺着されると、バッテリパック本体３０の長手方向にバッテリパック本体３０を取付部材３６の在る方向に呼び込み、当接面３０ａと当接部３７及びゴムクッション３８とを当接させる。
【００３７】
このように、バッテリパック本体３０とバッテリ蓋部材２６とは、上記ゴムクッション３８の弾性力により相対的に移動する移動手段である相対移動機構若しくは揺動機構を構成している。
【００３８】
尚、上述した防水シール３４は、バッテリ蓋部材２６と取付部材３６の間で、ロック爪３３よりもバッテリパック本体３０側に配されている。これにより、ロック爪３３の部分まで浸水しても、バッテリパック本体３０側には浸水しないようになっている。
【００３９】
図５は、上述したバッテリ蓋部材２６及び取付部材３６の構造を示す分解斜視図である。
【００４０】
バッテリ蓋部材２６には、その略中央部に開口２６ａが形成されている。そして、２つのロック爪３３，３３を有するロック板５０の中心に形成された長孔５０ａが、開口２６ａ、クリックバネ５１の開口５１ａを介して、ロック操作部材２７の取付部２７ａと嵌合して、ビス５３によって螺着される。これにより、ロック板５０がロック操作部材２７と一体的に回動可能となる。
【００４１】
上記バッテリ蓋部材２６の周囲にはスリット２６ｂ、２６ｃが形成されており、該スリット２６ｂ、２６ｃにロック板５０のロック爪３３、３３が嵌挿される。これにより、ロック操作部材２７が操作されてロック板５０が所定方向に回転すると、ロック爪３３、３３がスリット２６ｂ、２６ｃから露出されて、バッテリ蓋部材２６がバッテリアダプタ１５にロックされるようになる。また、ロック板５０が上記所定方向と反対方向に回転すると、ロック爪３３、３３がスリット２６ｂ、２６ｃから露出されず、バッテリ蓋部材２６はロックが外れた状態となる。
【００４２】
バッテリ蓋部材２６には、また、取付部材３６の切り欠き（穴）４２に対応する位置に、防水用のシール部材５４が取り付けられている。更に、バッテリ蓋部材２６には複数個の取付部２６ｅが設けられており、Ｏリングである防水シール３４を挟むようにして取付部材３６に形成されたネジ孔３６ａを介してビス５５により螺着される。これにより、バッテリ蓋部材２６と取付部材３６とが固着される。
【００４３】
図６は、バッテリ蓋部材２６を取り外した状態でのバッテリアダプタ１５の構造を示す分解斜視図であり、（ａ）は上カバーを示した図、（ｂ）は防水シールを示した図、（ｃ）は下カバーを示した図である。
【００４４】
図６に示されるように、バッテリアダプタ１５は、フレーム６２を含む第１の外装部材である上カバー６０と、第２の外装部材である下カバー６１と、これら上カバー３０と下カバー６１との間に配されて水密的に閉塞するための防水シール（シール部材）６５とで構成されている。
【００４５】
フレーム（ループ形成部）６２は、バッテリアダプタ１５にあって、バッテリ蓋部材２６が取り付けられる側で上カバー６０に一体的に形成されている。これは、上カバー６０と下カバー６１とで開口５９を形成し、両者のカバーの間を防水シールによって水密的に閉塞しているが、開口５９の防水を確実にするために上カバー６０と一体的に形成されたフレーム６２が用意されている。
【００４６】
つまり、このフレーム６２による開口５９の部分は、上述したように、バッテリ蓋部材２６の周囲に配された防水シール３４によって、上下のカバーの防水とは独立して水密的に閉塞している。このフレーム（ループ形成部）６２と防水シール３４とで、第１の防水手段が構成されている。
【００４７】
尚、ここでは図示されないが、フレームは一体的に形成されるものであれば、上カバー６０ではなく下カバー６１に形成されるものであってもよいのは勿論である。
【００４８】
図６に於いて、上カバー６０の周囲部で下カバー６１と相対する位置には、全周に渡って連続した突状の密封用突起６３が形成されている。同様に、下カバー６１の周囲部で上カバー６０と相対する位置には、全周に渡って連続した凹状のシール溝６４が形成されている。そして、このシール溝６４に沿って防水シール６５が埋設される。これら密封用突起６３、シール溝６４、防水シール６５とで、第２の防水手段を構成している。
【００４９】
また、密封用突起６３が下カバー６１に、シール溝６４が上カバー６０に設定されていてもよい。
【００５０】
尚、図６（ｂ）に於いては、防水シール６５はリング状に示されているが、これに限られずに、線状のものであってもよい。
【００５１】
下カバー６１のシール溝６４に防水シール６５が埋設された状態で、下カバー６１に上カバー６０が取り付けられる。この取り付けは、上カバー６０に複数設けられたネジ穴６８を介して、複数のビス６７が下カバー６１の取付部６９に螺着されることにより行われる。このとき、上述した密封用突起６３が防水シール６４を圧接することにより、開口５９を除いて上カバー６０と下カバー６１は外部と水密的に閉塞される。
【００５２】
図７（ａ）はバッテリパック本体３０を外した状態のバッテリアダプタをカメラ本体に装着した例を部分的に示す断面図、（ｂ）は（ａ）の状態のバッテリ位置決め台及び保護シートの様子を説明する図である。また、図８（ａ）はバッテリパック本体３０を装填した状態のバッテリアダプタをカメラ本体に装着した例を部分的に示す断面図、（ｂ）は（ａ）の状態のバッテリ位置決め台及び保護シートの様子を説明する図である。
【００５３】
カメラ本体１の電池室７に接片支柱１９が挿入され、防水シール２０が電池室７の周壁と嵌合されて当接され、更に位置決めピン１６が位置決め穴に嵌入され、三脚ネジ１７が三脚ネジ９と螺合する。これにより、カメラ本体１に正確にバッテリアダプタ１５が装着される。
【００５４】
また、三脚ネジダイアル２３は、例えば金属製の三脚ネジ止め板７２によって上カバー６０内に密閉されている。上記三脚ネジ止め板７２は、上カバー６０との間に防水シール７１が配されて、ビス７３によって上カバー６０に螺着されている。
【００５５】
尚、フレーム６２の下カバー６１と相対する位置には防水シール６５が配されている。
【００５６】
下カバー６１の所定の位置には、後述する可撓性の、保護シート７６を固定するための保護シート止め板７５が設けられている。そして、上記保護シート７６は、ビス７７によって、保護シート止め板７５を介して下カバー６１に固定されている。
【００５７】
保護シート７６には、所定の位置に複数個（３箇所）の電池接片用孔（開口）８０が形成されている。この電池接片用孔８０は、下カバー６１の所定位置に取り付けられた電池接片８１に対応する位置に形成されている。
【００５８】
電池接片８１は、図８（ａ）及び（ｂ）に示されるように、パッテリアダプタ１５内にバッテリパック本体３０が装填された状態で、バッテリ電極３１と電気的接触を得ることができる位置に配置されている。
【００５９】
バッテリ位置決め台８３は、バッテリアダプタ１５内の所定の位置にバッテリパック本体３０を位置合わせするために設けられたものである。そして、バッテリ位置決め台８３の内部には、バッテリパック本体３０を案内するための複数のガイド部（リブ状突起）８４が形成されている。
【００６０】
バッテリパック本体３０は、上述したようにバッテリ蓋部材２６に揺動可能に保持されている。したがって、バッテリパック本体３０の他端側であるバッテリ電極３１が設けられている側は、位置が固定されない。そこで、このバッテリパック本体３０を確実に位置決めするために、バッテリ位置決め台８３が設けられている。
【００６１】
保護シート７６は、バッテリパック本体３０がバッテリアダプタ１５から取り外されている状態で、クリップ等の金属片等がバッテリアダプタ１５内に混入してしまい、その結果バッテリパック本体３０が装填されたときにバッテリ電極３１によって、電池接片８１がクリップ等で短絡することを防止するためのものである。これにより、金属片の混入によるバッテリの短絡を防止することができる。
【００６２】
つまり、保護シート７６は一方の側がビス７７により固定されているが、図７（ａ）、（ｂ）に示されるように、バッテリパック本体３０が装填されていない状態では、他方はバッテリ位置決め台８３に端部が当接するように撓んだ状態となっている。この状態では、保護シート７６に設けられた電池用接片孔８０に電池接片８１は進入せず、外観からは電池接片８１を観察することができないようになっている。したがって、この状態でバッテリアダプタ１５内に金属片が混入しても、保護シート７６によって電池接片８１が短絡することが防止される。
【００６３】
そして、バッテリアダプタ１５内に金属片が混入した状態でバッテリパック本体３０が挿入されると、保護シート７６によって上記金属片が引っかかった状態となる。そのため、バッテリパック本体３０がバッテリ位置決め台８３に保持されず、バッテリ蓋部材２６も閉じられない状態となる。したがって、バッテリアダプタ１５内に異状のあることがわかり、バッテリパック本体３０の短絡の虞れを未然に防止することができる。
【００６４】
また、バッテリアダプタ１５内にバッテリパック本体３０が装填された状態では、図８（ａ）、（ｂ）に示されるように、保護シート７６はバッテリパック本体３０によって、その壁面に沿うようにして略直角に曲げられる。このとき、電池接片用孔８０から電池接片８１が露出される。こうして、電池接片８１とバッテリ電極３１とが電気的に接続される。
【００６５】
尚、上述した実施の形態では、カメラ本体に装着されるバッテリアダプタを例にとって説明したが、これに限られるものではなく、交換バッテリを挿抜可能な防水機能を有する機器であれば何れも適用可能である。
【００６６】
また、このほかにも、この発明の要旨を逸脱しない範囲で種々の変形実施が可能であるのは勿論である。
【００６７】
【発明の効果】
以上のようにこの発明によれば、電池室内に小さな金属片が侵入し、その状態のままで電池が装填されても、電池間での短絡が発生し難い接点装置を提供することができる。
【００６８】
そして、請求項１に記載の発明によれば、電池室内に小さな金属片が侵入した状態で電池が装填されると変形する保護シートによって、電池間での短絡の発生をし難くすることができる。
【００６９】
請求項２に記載の発明によれば、電池が装填されないときは接片が開口から露出されないので、電池室内への金属片の侵入を防止することができる。
【００７０】
請求項３に記載の発明によれば、電池が装填されないときは接片が保護シートから離間されるので、電池室内への金属片の侵入を防止することができる。
【図面の簡単な説明】
【図１】この発明の一実施の形態に係る電子機器出るカメラのバッテリアダプタの構成を示した外観斜視図である。
【図２】図１のバッテリアダプタが装着されるカメラ本体の構成を示す外観斜視図である。
【図３】バッテリパックの構造を示すもので、（ａ）は一方向から見た外観斜視図、（ｂ）は（ａ）と反対方向から見た斜視図である。
【図４】バッテリ蓋部材２６とバッテリパック本体３０の取り付け構造を示す分解斜視図である。
【図５】バッテリ蓋部材２６及び取付部材３６の構造を示す分解斜視図である。
【図６】バッテリ蓋部材２６を取り外した状態でのバッテリアダプタ１５の構造を示す分解斜視図であり、（ａ）は上カバーを示した図、（ｂ）は簿垂直シールを示した図、（ｃ）は下カバーを示した図である。
【図７】（ａ）はバッテリパック本体３０を外した状態のバッテリアダプタをカメラ本体に装着した例を部分的に示す断面図、（ｂ）は（ａ）の状態のバッテリ位置決め台及び保護シートの様子を説明する図である。
【図８】（ａ）はバッテリパック本体３０を装填した状態のバッテリアダプタをカメラ本体に装着した例を部分的に示す断面図、（ｂ）は（ａ）の状態のバッテリ位置決め台及び保護シートの様子を説明する図である。
【符号の説明】
１…カメラ本体、２…グリップ部、６…電池蓋、７…電池室、８…位置決め穴、９…三脚ネジ、１５…バッテリアダプタ、１６…位置決めピン、１７…三脚ネジ、１９…接片支柱、２０…防水シール（Ｏリング）、２２…電池蓋収納部、２３…三脚ネジダイアル、２５…バッテリパック、２６…バッテリ蓋部材、２７…ロック操作部材、３０…バッテリパック本体、３０ａ…当接面、３１…バッテリ電極、３３…ロック爪、３４…防水シール（Ｏリング）、３６…取付部材、３７…当接部、３８…ゴムクッション、５９…開口、６０…上カバー、６１…下カバー、６２…フレーム、６３…密封用突起、６４…シール溝、６５…防水シール（シール部材）、７６…保護シート、８０…電池接片用孔、８１…電池接片、８３…バッテリ位置決め台。
【図１】
2005019022.tif 000003
【図２】
2005019022.tif 000004
【図３】
2005019022.tif 000005
【図４】
2005019022.tif 000006
【図５】
2005019022.tif 000007
【図６】
2005019022.tif 000008
【図７】
2005019022.tif 000009
【図８】
2005019022.tif 000010